【手続補正書】
【提出日】平成19年11月22日(2007.11.22)
【手続補正１】
【補正対象書類名】明細書
【補正対象項目名】全文
【補正方法】変更
【補正の内容】
【書類名】      明細書
【発明の名称】  リモコン装置及びリモコンシステム
【特許請求の範囲】
【請求項１】  操作対象機器を操作するリモコン装置であって、ジョイスティック、ジョグダイヤルの操作またはボタン類の押下により入力のできる入力部と、
前記入力部により入力されたコマンドを表示する表示部と、
前記入力部により入力されたコマンドから、前記表示部の表示を階層的に切り替える手段と、
前記操作対象機器を操作する信号を送信する発信部を備えた、リモコン装置。
【請求項２】  前記リモコン装置に、前記入力部及び前記表示部による文字・記号編集メニューにて、任意の文字や記号等の入力・編集をする手段を備えた、請求項１のリモコン装置。
【請求項３】  前記リモコン装置に、制御信号を受信する受信部を備えた、請求項１または２のリモコン装置。
【請求項４】  前記リモコン装置に、前記受信部より前記制御信号の操作を示す文字・記号等の情報を受信する手段を備えた、請求項３のリモコン装置。
【請求項５】  リモコン装置に、操作対象機器の一部もしくは全ての制御信号及びその文字・記号等の情報を、学習させることを特徴とするリモコンシステム。
【請求項６】  リモコン装置に、操作対象機器の一部もしくは全ての制御信号及びその文字・記号等の情報を、他のリモコン装置を使って学習させることを特徴とする、請求項５のリモコンシステム。
【請求項７】  リモコン装置に、操作対象機器の一部もしくは全ての制御信号及びその文字・記号等の情報を、パーソナルコンピュータ等で編集し学習させることを特徴とする、請求項５または６のリモコンシステム。
【発明の詳細な説明】
【０００１】
【産業上の利用分野】
本発明は、１つのリモコン装置で多数の機器を操作できる、リモコンシステムに関する。
【０００２】
【従来の技術】
従来から、家電製品等がそれぞれ専用のリモコン送信機によって、操作可能となっている。ところが、機器の数が増えるとリモコン送信機の数も増え、リモコン送信機の置き忘れや、それぞれのリモコン送信機の使い方を覚えなければならない状況が発生している。
【０００３】
あらかじめ、多数の会社の家電機器等の信号が登録されていて、複数の機器を操作できるマルチリモコンがある。
【０００４】
それぞれの専用のリモコン送信機から信号を送信し、その信号を受信し、リモコン装置のボタンに割り当てて登録して、複数の機器を操作できる学習リモコンもある。
【０００５】
【発明が解決しようとする課題】
従来のバス接続されたＡＶシステムにおいても、機器の操作にあたっては、それぞれの専用リモコン送信機が必要である。従って、リモコン送信機の管理上の問題を解決するものではない。また、特開２０００−５０３６９のシステムであっても、高速バスの接続という作業が必要であり、またコントロールＢＯＸという別の機器を設置しなければならず、そのためのスペースや電源が必要となる。
【０００６】
複数のテレビやビデオを操作できるリモコン送信機もあるが、登録されているメーカーは限られている。従って、例えば登録されていない韓国のメーカーのテレビ等は操作できない。
【０００７】
また従来、使用者がリモコン装置に制御信号を記憶させる学習リモコンがあるが、ボタンの形状や記号が良く似ていて、制御信号送信時に登録していたボタンの役割を忘れたり、ボタンの押し間違い等が発生する。このようなシステムであれば、新たな機能を持つ機器の操作は、難しいものとなる。
【０００８】
【課題を解決するための手段】
本発明は、上述の問題点を解決する為に、〔削除〕リモコン装置に文字・記号等を表示できる表示部と、ボタン等の入力部を備え、機器専用のリモコン送信機の信号を、任意の文字・記号で登録でき、また使用時にも送出すべき制御信号の機能を示す文字・記号等を、表示部で確認しながら操作できる事を特徴としている。
【０００９】
請求項１に記載のリモコン装置においては、前記入力部にジョイスティック、ジョグダイヤルまたはボタン類の入力部を配置する事を特徴とする。
【００１０】
〔削除〕
【００１１】
また請求項６では、〔削除〕リモコン送信機に、リモコンの持つ信号情報と機能の情報の一部もしくは全てを送信する機能を持たせ、学習リモコンへの登録を簡略化する手段を有する事を特徴としている。
【００１２】
【発明の実施の形態】
次に、本発明について図面を参照して説明する。図１は、本発明の〔削除〕上面図の一例である。受信部３により機器〔削除〕専用のリモコン送信機からの信号を受信する。表示部４は、受信の状態や信号登録時の編集、信号送信時の信号の機能の確認等に使用する。ジョイスティック等入力部５及びボタン等入力部６は、信号登録時に任意の文字・記号等の入力、及び信号送信時の操作部となる。発信部２はジョイスティック等入力部５またはボタン等入力部６、表示部４で確認・操作された信号を、送出する。
【００１３】
図２は、本発明の〔削除〕上面図の一例である。図１のジョイスティック等入力部５が、ジョグダイヤル等入力部１１に代わっただけであるので、作用・機能についての説明は、省略する。
【００１４】
図３は、本発明の請求項３および４のリモコン装置のブロック図である。デコード部１５は、信号を学習する時に、受信部１４で受信した情報を解読・変換して、記憶部１９に記憶する。
【００１５】
エンコード部２１は、記憶部１９に記憶されている情報を、使用対象機器の操作信号に変換して、発信部２２から送信する。
【００１６】
入力部１７は、ジョイスティックまたはジョグダイヤルまたはボタン類の入力装置から構成される。
【００１７】
表示部１８は、学習リモコン本体１３に信号を学習させる時に、受信部１４で受信し、デコード部１５で解読・変換した状況や、学習させる信号に名称等を付けて登録する為に、入力部１７で使用者が選んだ文字・記号等を表示したり、学習リモコン本体１３から信号を発信する前に、どの機器のどの機能を操作するのかを入力部１７の操作で記憶部１９に登録してある文字・記号等を表示できる物（例えば、ドットマトリクスの液晶表示装置）とする。
【００１８】
中央演算装置１６は、上述の一連の操作を制御するもので、ＭＰＵ（マイクロプロセッサユニット）で構成する。
【００１９】
記憶部１９は、操作対象機器〔削除〕専用のリモコン送信機の送信信号に、任意の文字・記号等を合わせて登録できる物とし、フラッシュメモリ等の不揮発性ＲＡＭで構成する。また、メモリースティックやＳＤメモリ等の着脱可能なメモリ媒体であっても良い。更に、各種文字や記号等を記憶させてあり、文節→漢字変換機能に対応するものとする。
【００２０】
電源部２０は、中央演算装置１６及び記憶部１９を駆動させる電源である。
【００２１】
図４は、請求項６のテレビ用リモコン送信機の上面図の一例である。ボタン等入力部２５の中の「自動送信」ボタンを押す事によって、当該リモコン送信機のの持つ信号情報と機能の情報の一部もしくは全てを、発信部２４から順次送信する。
【００２２】
図５は、本発明品のリモコンシステムにより、送信信号等の情報を学習させている状態を示す図である。
【００２３】
学習の方法は、以下に説明する。図６は、〔削除〕リモコン装置への学習時の表示部の遷移〔削除〕の一例である。Ｓ１は、メニュー画面である。請求項３または４では、ジョイスティック〔削除〕を、上下に倒す事でカーソル３２を動かしたり、画面をスクロールさせる。または、ジョグダイヤル〔削除〕を回転させる事でカーソル３２を動かしたり、画面をスクロールさせる。または、カーソルキー状に配したボタン類で、カーソル３２を動かしたり、画面をスクロールさせる。カーソルの示す内容の操作・決定は、ジョイスティックもしくはジョグダイヤルの中心部もしくはカーソルキー状に配したボタン類の決定ボタンを押す事によって行なう。
【００２４】
全ての画面の最上段は、現在の画面の内容や操作の指示を示す。画面の再下段は、〔削除〕ジョイスティックまたはジョグダイヤルまたはボタン類の操作方法を示す。
【００２５】
カーソルの移動や画面のスクロールおよびカーソルの示す内容の操作の決定は、上記方法にて行なうので、これ以降はジョイスティックでの操作方法について説明し、ジョグダイヤル及びカーソルキー状に配したボタン類の説明は省略する。
【００２６】
メニュー画面Ｓ１にて「信号登録」を選んだ場合、Ｓ２の登録手段の選択画面となる。ここで「手動登録」を選んだ場合、Ｓ３の機器選択の画面となる。カーソル３３移動・画面のスクロールにて、機器名（例えば、ビデオ）を選ぶと、Ｓ４の機器名称の選択画面となる。
【００２７】
この時、既に登録されているビデオの台数より１つ大きい数字または１つ後のアルファベット等の文字を付加した、名称の候補を表示する。
【００２８】
なお、Ｓ３にて「その他」を選んだ場合、文字等の入力画面Ｓ３１の遷移する。文字の入力は、ボタン等入力部で行なう。例えば、あ行は「１」、か行は「２」、さ行は「３」という具合に、５０音の行をテンキー類に割り当てる。例えば、「う」を入力する場合は、「１」のボタンを３回押す事によって行なう。漢字への変換は、例えばジョイスティックを上に倒す事で候補文字を表示し、ジョイスティックを上下に倒し、カーソルを希望の文字に移動させて、ジョイスティックの中心部を押して決定する。
【００２９】
文字種別の変更は、例えばジョイスティックを下に倒す事で行ない、カタカナやアルファベットや記号等の入力ができるものとする。アルファベットは、例えば、Ａ・Ｂ・Ｃは「１」、Ｄ・Ｅ・Ｆは「２」という具合に、テンキー類に割り当てる。例えば、「Ｃ」を入力する場合は、「１」のボタンを３回押す事によって行なう。記号類の入力は、文字種別を「記号」にして、表示部に表示される記号類をジョイスティックを上下に倒し、カーソルを希望の記号類に移動させて、ジョイスティックの中心部を押して決定する。これら一連の入力方法は、携帯電話等の文字・記号等の入力方法に準ずるものであり、更なる詳細な説明は省略する。
【００３０】
Ｓ４の機器名称の選択画面にて「その他」を選んだ場合、Ｓ３１に記した方法にて文字・記号等の編集・登録を行なう。
【００３１】
機器名称の登録が終われば、Ｓ５の機能選択画面となる。ここでは、各機器に対して、あらかじめ学習リモコンが持っている機能の一覧を表示する。ビデオを例にすると「ＯＮ／ＯＦＦ」「巻戻し」「再生」「早送り」「停止」「一時停止」「スロー再生」「標準／３倍」「選局ＵＰ」「選局ＤＯＷＮ」等である。これらの中から、学習させたい信号の機能をジョイスティックでカーソルを移動・スクロールさせて、ジョイスティックを押して決定・登録する。
【００３２】
次に、Ｓ６の信号学習の画面となる。ここでは図５の様にリモコン送信機２６から当該学習リモコン２７に向けて、信号を送信する。ある時間以内に送信されなかった場合等、正常に受信できなかった場合はＳ６１の様に、再度送信を促す。
【００３３】
信号の受信・登録が正常に行なわれれば、Ｓ７の信号名等の入力画面に遷移する。ここでは、信号の機能に関する文字・記号等いくつかの候補を表示する。ここで「その他」を選んだ場合、Ｓ３１に記した方法で、文字等の編集・登録を行なう。
【００３４】
次に、Ｓ８の画面に遷移する。ここでは、信号の登録を終了するかどうかを選択する。信号の登録を継続する場合は、Ｓ５の画面に遷移する。この時、既に登録した機能については、その機能名の表示を削除するか、「登録済」等の文字・記号等を、表示する。以降、Ｓ５からＳ８の操作を繰り返し、Ｓ８にて登録終了が選択されれば、Ｓ１のメニュー画面に戻る。
【００３５】
なお、ＯＮ／ＯＦＦ等の頻繁に使用する信号の登録には、表示部を見ながら名称等を付けて登録すると共に、専用の「ＯＮ／ＯＦＦボタン」等に割り当てる様にしても良い。
【００３６】
図７は、〔削除〕リモコン装置への信号の自動登録時の遷移〔削除〕の一例である。Ｓ２にて「自動登録」が選択された場合、Ｓ２１の画面の表示にて、自動送信機能のついたリモコン送信機からその情報を送信する様、使用者に促す。使用者は図５の様に、リモコン送信機２６の信号発信部２８と学習リモコン２７の信号受信部３０を向かい合わせ、両者間で送受信を行なう。リモコン送信機２６は、本発明の請求項６の例である図４のリモコン送信機に示すボタン等入力部２５の中の「自動送信」のボタンを押す事で、リモコン送信機の持つ信号情報と機能の情報の一部もしくは全てを送信する。
【００３７】
自動送信時の信号のフォーマットの一例を示す。全ての信号の開始及び終了の信号として、例えば０．２秒間Ｈｉ信号を送出する。送信信号の内容は、操作機器の名称を最初に送出し、その後機器の操作信号とその機能の名称を交互に送出する。それぞれの信号の送出の前後は、例えば０．１秒のＬｏ信号を送出する。機能の名称は、例えばＪＩＳコードに示される文字・記号等とし、コード番号を１６ビットのＨｉ／Ｌｏ信号で行なう事とする。これらの信号の周期は、この例では５ｍｓ程度が望ましい。
【００３８】
Ｓ２２は、リモコン送信機２６と学習リモコン２７の両者間で送受信を行なっている時の表示の一例である。
【００３９】
送受信が終了すると、Ｓ２３の様に機器名の入力画面に遷移する。リモコン送信機から信号終了を示す信号を受取らなかったり、フォーマットに反する信号を受取った場合は、Ｓ２２１に示す通り、再度学習を促す。Ｓ２２にて機器名称を受信するが、それが既に登録してある機器の名称である場合は、Ｓ４のごとくその機器数より１つ大きい数字または１つ後のアルファベット等の文字を付加した文字の候補を表示する。ここで「その他」を選んだ場合、Ｓ２３１の画面に遷移し、Ｓ３１に記した方法にて任意の文字・記号等で登録する。
【００４０】
次に、Ｓ２４の機能名の入力画面に遷移する。ここでは、機能を示すの候補の一覧を表示する。「その他」が選ばれた場合は、Ｓ３１に記した方法にて任意の文字・記号等で登録する。１つの機能名の登録が終われば、次の機能名をＳ２４のごとく尋ねる画面となる。全ての機能名を登録すれば、Ｓ２５の様に登録完了の画面となる。
【００４１】
自動登録では、手動登録と同様「ＯＮ／ＯＦＦ」機能やチャンネル等の１や２という様な数字に関する信号は、自動的にテンキー類のボタン等に割り当てる様にする。
【００４２】
これらの信号の学習には、リモコン装置の送受信部を例にしたが、これが有線であったり、パーソナルコンピュータ等で編集した情報を、メモリ媒体を通じて行なうものであっても良い。
【００４３】
図８は、機器を操作する場合の遷移〔削除〕の一例である。Ｓ１１では、使用者が登録した操作対象機器の名称を表示する。ジョイスティックでカーソル３４を移動させて、機器を選択する。Ｓ１２では、その機器に登録されている機能の名称が表示され、ジョイスティックでカーソル３５を移動させて、ジョイスティックを押下して決定すると、操作信号が送出され操作対象機器を動作させる事ができる。
【００４４】
また、「ＯＮ／ＯＦＦ」等、あらかじめ割り当てられたボタン等を押すと、即座にその機器の「ＯＮ／ＯＦＦ」等の操作信号が、送出される。
【００４５】
なお本実施の形態は、これら一連の操作により複数の機器を作動させる事が可能である。発信部・受信部は、家電製品の中で最もよく使われている赤外線素子を使用するが、電波素子等を並列に配置して、あらゆる無線通信による手段やコネクター接続による有線通信であっても、何ら問題は無い。
【００４６】
【発明の効果】
本発明により、１つのリモコン装置で多数の機器が操作でき、従来ではリモコン送信機の置き忘れ等で、機器を動かす時に探す必要がなくなるという効果がある。
【００４７】
また、信号を本発明品に学習させる事で、どこのメーカーの機器も動かせるばかりか新製品が開発されても操作できるという効果がある。
【００４８】
また、任意の記号や文字で信号を登録し、使用時には表示部でその記号や文字を確認しながら操作する為、使い方が解からなくなったりする事がなくなる。また、表示部の文字等が大きいので、目の悪い方でも判別し易い。さらに、使用者の必要最少の信号の登録でも良いので、不要なボタンや操作が減るという効果がある。
【００４９】
また、〔削除〕リモコン送信機に一部もしくは全ての制御信号及びその文字・記号等の情報を、学習リモコンに送信する機能を備えることで、学習リモコンへの登録手順が減るという効果がある。
【図面の簡単な説明】
【図１】
本発明による、〔削除〕学習リモコンの一例。
【図２】
本発明による、〔削除〕学習リモコンの一例。
【図３】
本発明による、〔削除〕学習リモコンのブロック図。
【図４】
本発明による、請求項６のリモコン装置の一例。
【図５】
本発明品により、送信信号等の情報を学習させている状態を示す図。
【図６】
本発明品のリモコンシステムの、手動学習時の表示部の遷移〔削除〕の一例。
【図７】
本発明品のリモコンシステムの、自動学習時の表示部の遷移〔削除〕の一例。
【図８】
本発明品のリモコンシステムの、信号送信時の表示部の遷移〔削除〕の一例。
【符号の説明】
１    学習リモコン本体
２    発信部
３    受信部
４    表示部
５    ジョイスティック等入力部
６    ボタン等入力部
７    学習リモコン本体
８    発信部
９    受信部
１０    表示部
１１    ジョグダイヤル等入力部
１２    ボタン等入力部
１３    学習リモコン本体
１４    受信部
１５    デコード部
１６    中央演算装置
１７    入力部
１８    表示部
１９    記憶部
２０    電源部
２１    エンコード部
２２    発信部
２３    リモコン本体
２４    発信部
２５    ボタン等入力部
２６    リモコン送信機
２７    学習リモコン
２８    信号発信部
２９    発信信号
３０    信号受信部
３１    信号発信部
３２    カーソル
３３    カーソル
３４    カーソル
３５    カーソル